(57)【特許請求の範囲】
【請求項１】
ネットワークに対して接続可能であり、読み取った画像データを自らがネットワークを介して送信できるネッワークスキャナ装置であって、
画像読取手段と、
前記画像読取手段によって読み取られた画像データを、前記ネットワークに接続された任意の機器の共有フォルダに送信するための第１送信先アドレスと、前記ネットワークに接続されかつ前記第１送信先アドレスに対応する機器以外の任意の機器に設定されている画像データ情報送信用アドレスに対して、画像データ情報を送信するための第２送信先アドレスと、を入力するための入力手段と、
画像データが送信される機器に設定されている画像データ情報送信用アドレスに対して画像データ情報を送信する第１モード、またはそのアドレスに対して画像データ情報を送信しない第２モードのいずれかをユーザに設定させるための設定手段と、
前記入力手段に入力された第１送信先アドレスに、前記画像読取手段で読み取られた画像データを送信する第１の送信手段と、
前記設定手段によって第１モードが設定されている場合には、前記入力手段に入力された第１送信先アドレスに対応する機器に設定されている画像データ情報送信用アドレスと、前記入力手段に入力された第２送信先アドレスとに、画像データ情報を送信する第２の送信手段と、
前記設定手段によって第２モードが設定されている場合には、前記入力手段に入力された第２送信先アドレスにのみ、画像データ情報を送信する第３の送信手段とを含み、
前記画像データ情報が、前記第１の送信手段により送信される画像データのファイル名およびその送信先アドレスを含む情報であることを特徴とするネットワークスキャナ装置。
【請求項２】
前記第２の送信手段および前記第３の送信手段は、電子メールを用いて、前記画像データ情報を送信することを特徴とする、請求項１記載のネットワークスキャナ装置。
【発明の詳細な説明】
【技術分野】
【０００１】
この発明は、原稿画像等を読み取り、読み取った画像データをネットワークを介して任意の機器へ送信するネットワークスキャナ装置に関する。
【背景技術】
【０００２】
ネットワークスキャナ装置は、プッシュ型スキャナ装置とも称され、たとえば、特許文献１には画像読み取り装置として記載されている。
特許文献１に記載の装置を用いれば、読み取った原稿の画像データを、ネットワークに接続されている任意の機器、たとえば自己のパソコンや特定人のパソコン等にネットワークを介して送信することができる。
【０００３】
また、特許文献２には、ネットワークスキャナとして作用するファクスサーバが記載されている。このファクスサーバは、受信した画データ（画像データ）や、読み取り形成した画データをファイルサーバに配信する際、クライアントＰＣに配信通知を行う。
【特許文献１】特開２００３−１７９７１４号公報
【特許文献２】特開２００２−５７８３２号公報
【発明の開示】
【発明が解決しようとする課題】
【０００４】
特許文献１の装置では、ネットワークスキャナ装置で読み取った画像データを、ネットワークを介して複数の機器に送信する場合、その送信に伴ってネットワーク上に膨大なデータ量が流れることになる。そして、かかる膨大なデータ量の送信は、時間およびエネルギーを消費する。
特許文献２に記載の装置では、受信した画像データが、自己のパソコン（クライアントＰＣ）とは別の機器（ファイルサーバ）に配信されていた。このため、当該画像データを閲覧するには、自己のパソコンからネットワークを介して、画像データが配信された機器にアクセスしなければならず、手間がかかってしまう。
【０００５】
ところで、ネットワークスキャナ装置で読み取った画像データを複数の送信先に送信する場合、或る送信先では、読み取られた画像データ自体が必要であるが、他の送信先では、その画像データ自体のファイル名および送信先のパソコン（具体的には、共有フォルダのアドレス）がわかれば十分であり、画像データの内容を詳細に検討する必要がないといったときがある。このようなときにおいても、複数の送信先に対して、読み取った画像データを等しく送信していたので、送信に必要な時間およびエネルギーが無駄に消耗されていることがあるといった課題があった。
【０００６】
この発明は、このような背景のもとになされたもので、ネットワークスキャナ装置から、画像データが必要な送信先へはその画像データ自体を送信し、他の送信先へはその画像データにアクセスするための情報を送信することで、送信時間およびエネルギーを節約することのできるネットワークスキャナ装置を提供することを目的とする。
【課題を解決するための手段】
【０００７】
上記目的を達成するための請求項１記載の発明は、ネットワークに対して接続可能であり、読み取った画像データを自らがネットワークを介して送信できるネッワークスキャナ装置（１）であって、画像読取手段（１２）と、前記画像読取手段によって読み取られた画像データを、前記ネットワークに接続された任意の機器の共有フォルダに送信するための第１送信先アドレスと、前記ネットワークに接続されかつ前記第１送信先アドレスに対応する機器以外の任意の機器に設定されている画像データ情報送信用アドレスに対して、画像データ情報を送信するための第２送信先アドレスと、を入力するための入力手段（１４）と、画像データが送信される機器に設定されている画像データ情報送信用アドレスに対して画像データ情報を送信する第１モード、またはそのアドレスに対して画像データ情報を送信しない第２モードのいずれかをユーザに設定させるための設定手段（１４）と、前記入力手段に入力された第１送信先アドレスに、前記画像読取手段で読み取られた画像データを送信する第１の送信手段（１１，１７）と、前記設定手段によって第１モードが設定されている場合には、前記入力手段に入力された第１送信先アドレスに対応する機器に設定されている画像データ情報送信用アドレスと、前記入力手段に入力された第２送信先アドレスとに、画像データ情報を送信する第２の送信手段（１１，１７）と、前記設定手段によって第２モードが設定されている場合には、前記入力手段に入力された第２送信先アドレスにのみ、画像データ情報を送信する第３の送信手段（１１，１７）とを含み、前記画像データ情報が、前記第１の送信手段により送信される画像データのファイル名およびその送信先アドレスを含む情報であることを特徴とするネットワークスキャナ装置である。
【０００８】
なお、括弧内の数字は、後述の実施形態における対応構成要素等を示す。
また、請求項２記載の発明は、前記第２の送信手段および前記第３の送信手段は、電子メールを用いて、前記画像データ情報を送信することを特徴とする、請求項１記載のネットワークスキャナ装置である。
【発明の効果】
【０００９】
請求項１記載の発明によれば、画像データ自体の内容を詳細に検討する必要がある送信先等に対しては、画像読取手段で読み取られた画像データ自体が、共有フォルダに直接送信される。
一方、画像データが生成されてきたことがわかればよく、画像データの内容の詳細までは知る必要がない送信先に対しては、画像データ情報が送信される。この画像データ情報とは、読み取られた画像データのファイル名および送信先アドレスを含む情報のことである。画像データ情報は、そのデータ量が少ないので、送信に要する時間およびエネルギーが少なくてすむ。また、画像データ情報が送信された送信先から、必要に応じて当該共有フォルダにアクセスすることで、画像読取手段で読み取られた画像データ自体を容易に閲覧することができる。
【００１０】
従って、請求項１記載の発明によれば、ネットワークスキャナ装置から任意の機器に対してネットワークを介して画像データを送信する場合において、画像データが必要な送信先へはその画像データ自体を送信し、他の送信先へはその画像データにアクセスするための情報（画像データ情報）を送信することで、送信効率が良く、送信のための時間およびエネルギーが効率良く使われるスキャナ装置とすることができる。
【００１１】
また、請求項１記載の発明によれば、原稿をセットしたユーザが、他人の機器の共有フォルダに読取原稿画像データ（以下、画像データという）を送信する場合には、第１モードを設定することより、当該他人に対して画像データ情報を送信するようにでき、原稿をセットしたユーザが、自己の機器の共有フォルダに画像データを送信する場合には、第２モードを設定することより、当該ユーザに対して画像データ情報を送信しないようできる。このため、原稿をセットしたユーザが、自己の機器の共有フォルダに画像データを送信する場合には、画像データ情報の無駄な送信を避けることができる。
つまり、請求項１記載の発明によれば、原稿をセットしたユーザが、自己の機器に画像データを送信するか、他人の機器に画像データを送信するかに応じて、設定手段によるモード設定操作を行なうだけで、画像データが送信される機器のユーザに画像データ情報を送信するか否かを制御することができる。
【００１２】
請求項２に記載の発明では、第２送信手段および第３送信手段は、電子メールを用いて、画像データ情報を送信することができる。このため、画像データ情報の送信に要する時間およびエネルギーが少なくて済む。
【発明を実施するための最良の形態】
【００１３】
以下では、この発明の実施の形態を、添付図面を参照して詳細に説明する。
図１は、この発明の一実施形態にかかるネットワークスキャナ装置を含むネットワーク接続構造を示す図解的なブロック図である。ここでは、ネットワークスキャナ装置として、複合機（以下、「ＭＦＰ（Multi Function Peripheral）」ともいう）１が使用されている。
【００１４】
ＭＦＰ１には、ネットワークとして、たとえばＬＡＮ（Local Area Network）を介して、パソコンＰＣ1〜ＰＣnが接続されている。パソコンＰＣ1〜ＰＣnは、たとえば、ある企業内における各社員のパソコンである。かかるネットワーク接続構成において、ＭＦＰ１は、ＬＡＮを介して、読み取った画像データや画像データ情報を所定のパソコンへ送信したり、電子メールを送信したりする。
【００１５】
ＭＦＰ１には、マイクロコンピュータなどを有する制御部１１が備えられており、ＣＣＤ（Charge Coupled Device）などを備えたスキャナ部１２が制御部１１によって制御される。また、ＭＦＰ１には、スキャナ部１２で読み取られた画像データをストアするための画像メモリ１３が備えられており、この画像メモリ１３は制御部１１により制御されている。
【００１６】
ＭＦＰ１は、原稿給送部１５を備えている。ＭＦＰ１は、たとえば、この原稿給送部１５にセットされた原稿を読み取るとき、原稿給送部１５により原稿を一枚ずつスキャナ部１２に向けて送る。また、原稿を読み取るだけでなく、複写するときには、画像形成部１６が動作され、スキャナ部１２で読み取られた原稿画像が用紙に転写される。
また、ＭＦＰ１には、ユーザが種々の操作を行うための操作部１４が備えられている。この操作部１４は、表示パネル１４ａと操作キー１４ｂとを有している。操作キー１４ｂは、操作することにより、送信先とするパソコン名（ネットワークシステム上で管理されているコンピュータ名を含む）を選択，入力したり、送信先アドレスとしての共有フォルダのアドレスや電子メールアドレスを入力したりすることができる。また、表示パネル１４ａは、操作データその他の内容を表示するために設けられており、制御部１１で制御される。操作部１４で入力された信号は、制御部１１へ与えられる。
【００１７】
さらに、ＭＦＰ１には、ＨＤＤ１８が備えられている。このＨＤＤ１８には、送信先アドレスリストとして、パソコン名（たとえば、“ＰＣ2”）、そのパソコン“ＰＣ2”が有する共有フォルダ（たとえば、フォルダ名"shared_folder"）のアドレス（たとえば、"\\PC2\shared_folder"）およびそのパソコン“ＰＣ2”に設定された電子メールアドレスなどのデータが関連付けてストアされている。これにより、ユーザが操作部１４を介してパソコン名を選択することで、制御部１１は、送信先アドレスリストから、そのパソコン名に関連付けられた共有フォルダのアドレスや電子メールアドレスを呼び出すことができる。
【００１８】
また、制御部１１には、ネットワークインターフェース１７が接続されており、このインターフェース１７を介して、ＬＡＮが接続されている。
制御部１１は、画像データ自体の内容を詳細に検討する必要がある送信先（たとえば、パソコンＰＣ2）に対して、スキャナ部１２で読み取られた画像データ自体を共有フォルダ（"\\PC2\shared_folder"）に直接送信する（矢印Ｄ1）。
【００１９】
一方、画像データが送信されてきたことがわかればよく、画像データの内容の詳細までは知る必要がない送信先（たとえば、パソコンＰＣ1，ＰＣn）に対して、制御部１１により、画像データ情報を記載した電子メールを送信する。画像データ情報とは、読み取られた画像データのファイル名，保存先アドレス（この場合、"\\PC2\shared_folder"），送信時刻およびパスワードなどの情報のことである。画像データ情報は、そのデータ量が少ないので、送信に要する時間およびエネルギーが少なくてすむ。また、この画像データ情報を受け取った者、つまり、パソコンＰＣ1，ＰＣnの持ち主は、この情報により、必要に応じて当該共有フォルダにアクセスできるので、画像読取手段で読み取られた画像データ自体を容易に閲覧することができる（矢印Ｄ2）。
【００２０】
図２は、制御部１１の制御動作の一例を示すフローチャートである。ここでは、図１も参照しながら、図２の流れに従って、ＭＦＰ１の動作（制御動作）について説明する。
まず、スキャナ部１２で読み取る画像データをネットワークを介して、たとえば、自己のパソコンならびに自己の上司ＡおよびＢの２人に送信するため、当該ネットワークに接続された自己のパソコンＰＣ2ならびに上司ＡおよびＢのパソコン（ＰＣ1およびＰＣn）を指定する。
【００２１】
具体的には、ＭＦＰ１では、操作部１４が操作されて、送信先アドレスリストにストアされたデータから、画像データまたは画像データ情報を送信する複数の送信先（たとえば、自己のパソコンＰＣ2ならびに上司ＡのパソコンＰＣ1および上司ＢのパソコンＰＣn）が選択，入力される（ステップＳ１）。ここで、制御部１１は、入力された送信先に対応する送信先アドレスを、送信先アドレスリストから呼び出す。
【００２２】
むろん、この送信先に対応する送信先アドレスは、たとえば利用者により、直接入力されてもよい。
次いで、原稿の読み取りを開始するため、操作キー１４ｂの１つとして設けられているスタートキーが押下される（ステップＳ２）ことにより、制御部１１に読み取り開始の信号が送られる。そして、原稿給送部１５にセットされた原稿が、スキャナ部１２によって順次読み取られていく（ステップＳ３）。
【００２３】
次いで、ステップＳ１において最初に入力された送信先に対応する送信先アドレス（この場合、パソコンＰＣ2の共有フォルダのアドレス"\\PC2\shared_folder"）に画像データが送信される（ステップＳ４；図１の矢印Ｄ1）。
次いで、ステップＳ４での送信先を除く送信先に、たとえば電子メール（この場合、パソコンＰＣ1およびＰＣnに設定された電子メール）を用いて、画像データ情報が通知（送信）される（ステップＳ５）。
【００２４】
図３は、制御部１１の制御動作の他の例を示すフローチャートである。ここでは、図１も参照しながら、図３の流れに従って、ＭＦＰ１の動作（制御動作）について説明する。
ステップＳ１１において、スキャナ部１２で読み取る画像データをネットワークを介して、たとえば、自己のパソコンならびに自己の上司ＡおよびＢの２人に送信するため、当該ネットワークに接続された自己のパソコンＰＣ2ならびに上司ＡおよびＢのパソコン（ＰＣ1およびＰＣn）を指定する。
【００２５】
具体的には、ＭＦＰ１では、操作部１４が操作されて、送信先アドレスリストにストアされたデータから、画像データまたは画像データ情報を送信する複数の送信先（たとえば、自己のパソコンＰＣ2ならびに上司ＡのパソコンＰＣ1および上司ＢのパソコンＰＣn）が選択，入力される。ここで、制御部１１は、入力された送信先に対応する送信先アドレスを、送信先アドレスリストから呼び出す。
【００２６】
むろん、この送信先に対応する送信先アドレスは、たとえば利用者により、直接入力されてもよい。
次いで、原稿の読み取りを開始するため、操作キー１４ｂの１つとして設けられているスタートキーが押下される（ステップＳ１２）ことにより、制御部１１に読み取り開始の信号が送られる。そして、原稿給送部１５にセットされた原稿が、スキャナ部１２によって順次読み取られていく（ステップＳ１３）。
【００２７】
次いで、ステップＳ１１において入力された送信先が、複数あるかどうかが判別される（ステップＳ１４）。
ステップＳ１４で送信先が複数入力されたことを判別した場合（ステップＳ１４でＹＥＳ）、画像データ情報を画像データ自体が送信される送信先に通知するかどうかを判別する（ステップＳ１５）。
【００２８】
ステップＳ１５で画像データを送信する送信先に画像データ情報を通知するよう設定されている場合（ステップＳ１５でＹＥＳ）、画像データの送信指定された送信先に対応する送信先アドレス（この場合、パソコンＰＣ2の共有フォルダのアドレス"\\PC2\shared_folder"）に画像データが送信される（ステップＳ１６；図１の矢印Ｄ1）。
次いで、ステップＳ１１で入力された全送信先に、たとえば電子メール（この場合、パソコンＰＣ1，ＰＣ2およびＰＣnに設定された電子メール）を用いて、画像データ情報が通知（送信）される（ステップＳ１７）。
【００２９】
ステップＳ１５で画像データを送信する送信先に画像データ情報を通知しないよう設定されている場合（ステップＳ１５でＮＯ）、画像データの送信指定された送信先に対応する送信先アドレス（この場合、パソコンＰＣ2の共有フォルダのアドレス"\\PC2\shared_folder"）に画像データが送信される（ステップＳ１８；図１の矢印Ｄ1）。
次いで、ステップＳ１８での送信先を除く送信先に、たとえば電子メール（この場合、パソコンＰＣ1およびＰＣnに設定された電子メール）を用いて、画像データ情報が通知（送信）される（ステップＳ１９）。
【００３０】
一方、ステップＳ１１において、スキャナ部１２で読み取る画像データをネットワークを介して、たとえば、自己のパソコンに送信するため、当該ネットワークに接続された自己のパソコンＰＣ2を指定する場合もある。この場合、ＭＦＰ１では、操作部１４が操作されて、送信先アドレスリストにストアされたデータから、画像データまたは画像データ情報を送信する送信先（たとえば、自己のパソコンＰＣ2）が選択，入力される。ここで、制御部１１は、入力された送信先に対応する送信先アドレスを、送信先アドレスリストから呼び出す。
【００３１】
この場合、ステップＳ１４で送信先が複数入力されていないことを判別する（ステップＳ１４でＮＯ）ので、画像データ情報を当該送信先アドレス宛てに通知するかどうかを判別する（ステップＳ２０）。
ステップＳ２０で画像データを送信する送信先に画像データ情報を通知するよう設定されている場合（ステップＳ２０でＹＥＳ）、画像データの送信指定された送信先に対応する送信先アドレス（この場合、パソコンＰＣ2の共有フォルダのアドレス"\\PC2\shared_folder"）に、画像データが送信され（ステップＳ２１；図１の矢印Ｄ1）、画像データ情報が通知（送信）される（ステップＳ２２）。
【００３２】
ステップＳ２０で当該送信先アドレス宛てに画像データ情報を通知しないように設定されている場合（ステップＳ２０でＮＯ）、当該送信先に画像データが送信される（ステップＳ２３；図１の矢印Ｄ1）。
以上のような制御により、ＭＦＰ１は、画像データが必要な送信先へはその画像データ自体を送信し、他の送信先へはその画像データにアクセスするための画像データ情報を、たとえば電子メールを用いて通知（送信）する。この画像データ情報は、そのデータ量が少ないので、送信に要する時間およびエネルギーが少なくてすむ。また、画像データ情報が通知された送信先から、必要に応じて当該共有フォルダにアクセスすることで、画像読取手段で読み取られた画像データ自体を容易に閲覧することができる。これにより、送信効率が良く、送信のための時間およびエネルギーが効率良く使われるネットワークスキャナ装置とすることができる。
【００３３】
また、ＭＦＰ１は、インターネットを含むネットワークを介して、パソコンと接続されていてもよい。このとき、上記の実施形態のように、画像データ情報を通知する手段として、画像データ情報を含んだ電子メールを送信する手段とした場合、この電子メールを用いれば、インターネットに接続されているパソコンに通知することができる。また、画像データ情報を含んだ電子メールはデータ量が少ないので、この電子メールの送信に要する時間およびエネルギーが少なくてすむ。この電子メールが送られた送信先では、この電子メールに含まれている画像データ情報により、画像データにアクセスするための情報が含まれているので、ネットワークを介してその共有フォルダにアクセスすることが可能であれば、必要に応じて共有フォルダ内に送信された画像データを容易に閲覧することができる。
【００３４】
さらに、ＭＦＰ１では、図２のステップＳ１において複数の送信先を選択，入力したときのように、１番目に入力されたパソコンに対応する共有フォルダが送信先アドレスとして指定され、２番目以降に入力されたパソコンに対応する電子メールアドレスが送信先アドレスとして指定されてもよい。このようにして、最初に入力された送信先アドレスには読み取られた画像データが送信されるので、たとえば、自己のパソコンの共有フォルダに対応する送信先アドレスを最初に入力することで、自己のパソコンに画像データを送信することができる。これにより、自己のパソコンから当該画像データを容易に閲覧することができるので、画像データを送信するにあたり、使い勝手の良い装置とすることができる。
【００３５】
この発明は、以上説明した実施形態に限定されるものではなく、特許請求の記載の範囲内において種々の変更が可能である。
【図面の簡単な説明】
【００３６】
【図１】この発明の一実施形態にかかるネットワークスキャナ装置を含むネットワーク接続構造を示す図解的なブロック図である。
【図２】制御部の制御動作の一例を示すフローチャートである。
【図３】制御部の制御動作の他の例を示すフローチャートである。
【符号の説明】
【００３７】
１    ＭＦＰ（ネットワークスキャナ装置）
１１    制御部（送信手段）
１２    スキャナ部（原稿読取手段）
１４    操作部
１７    ネットワークインターフェース
【図１】
0004421565.tif 000002
【図２】
0004421565.tif 000003
【図３】
0004421565.tif 000004